(57)【要約】【課題】梱包作業時に、その対象物の形状寸法に応じて必要な長さに切断して使用でき、被梱包物の角部を保護することができる梱包用角当てベルトを提供する。【解決手段】長尺帯状のウエブ材を用いて、その幅方向の中間位置で長手方向に折罫３が付され、その折罫３を境にして幅方向の一方に所要のピッチで楔状の切除部分５と台形状の舌片４とを交互に形成され、前記切除部分５の底部５ａが前記折罫３を越えて反対側の連接部２に達するように形成され、その切除部分５の底部５ａから連接部２を横断して切断容易に破線７が付されており、その破線７の箇所で必要長さに切断できる構成にされている。【選択図】図１
2005335716.tif 000002
【特許請求の範囲】
【請求項１】
長尺帯状のウエブ材を用いて、その幅方向の中間位置で長手方向に折罫が付され、その折罫を境にして幅方向の一方に所要のピッチで楔状の切除部分と台形状の舌片とが交互に形成され、前記切除部分の底部が前記折罫を越えて反対部分に達するように形成されていることを特徴とする梱包用角当てベルト。
【請求項２】
前記切除部分の底部は小彎曲状に形成され、折罫を境とする幅方向に反対側の連接部に、前記切除部分の底から切込みが形成され、その切込みから連接部の側端までに破線が形成されている請求項１に記載の梱包用角当てベルト。
【発明の詳細な説明】
【技術分野】
【０００１】
本発明は、主として箱形容器や筒状体などを梱包時に紐掛けする際に使用して被梱包物の角部を保護するのに有効な梱包用角当てベルトに関するものである。
【背景技術】
【０００２】
一般に、物品を収容した箱形容器や円筒状容器などでその取扱い上嵩張るものや重量が大である場合には、その容器の周囲に帯紐などを掛けて取扱いが容易なように梱包されている。この場合、紐掛けされる容器の角部には、どうしても結束する帯紐などで集中的な荷重が作用することになって、取扱い中に結束箇所で容器角部を損傷しやすくなる。このようなことから、通常、例えば図４に示されるように、帯紐など結束材１０１による容器１００の結束箇所（角部）に、例えばダンボール片を折り曲げた角当て１０３をあてがって保護したのち、結束材１０１で縛るような方法が講じられている。
【０００３】
また、同一形状の容器の梱包、例えば金属製の角形缶（いわゆる石油缶）などで紐掛けする場合、例えば図５に示されるように、その角形缶１１０の周縁角部１１１全体を覆う形状にされた包装保護部材１１３を、対象の角形缶の上下両面に被せるようにして、その外側から結束材（例えば合成樹脂製の荷造り用テープ）１０１で結束するような方法が講じられている。
【発明の開示】
【発明が解決しようとする課題】
【０００４】
しかしながら、前述のような容器の角部を保護する手段では、前者（角当て１０３）の場合、結束材で容器を縛る際にその都度、角当てを容器にあてがって結束材で固定しながら縛ることになり、要領よく角当てを固定しないとずれたり外れたりするので、複数箇所で縛るときには多くの手数を要して作業能率が悪いという問題がある。また、部分的に当て物をすることになるので、外観的に好ましくないという問題点もある。
【０００５】
また、後者（包装保護部材１１３を用いる）の場合、前者のような方式に較べて作業性は向上するが、取扱われる被梱包物（角形缶１１０）が一定でないと、その被梱包物の寸法に合わせて包装保護部材を作成しなければならないので、一般的でないという問題点がある。また、被梱包物の形状が角形以外の形状の場合には、当然その形状に合う包装保護部材を準備しなければならず、その都度異なる形状のものを作成するため、梱包費用が嵩むという問題点がある。
【０００６】
本発明は、このような問題点を解消するためになされたものであって、予め作成した用材で梱包作業時に、その対象物の形状寸法に応じて必要な長さに切断して使用でき、被梱包物の角部を保護することができる梱包用角当てベルトを提供することを目的とするものである。
【課題を解決するための手段】
【０００７】
前記目的を達成するために、本発明の梱包用角当てベルトは、
長尺帯状のウエブ材を用いて、その幅方向の中間位置で長手方向に折罫が付され、その折罫を境にして幅方向の一方に所要のピッチで楔状の切除部分と台形状の舌片とが交互に形成され、前記切除部分の底部が前記折罫を越えて反対部分に達するように形成されていることを特徴とするものである。
【０００８】
また、前記発明において、前記切除部分の底部は小彎曲状に形成され、折罫を境とする幅方向に反対側の連接部に、前記切除部分の底から切込みが形成され、その切込みをから連接部の側端までに破線が形成されている構成であるのがよい（第２発明）。
【発明の効果】
【０００９】
本発明によれば、長尺帯状のウエブ材で中間位置に折罫が付されてその一方に楔状の切除部分と舌片とが断続的に形成されるものであるから、ロール状に巻き込んで保管できる。使用に際しては、被梱包物の上下の角縁の全周長さに対応する寸法に切取って、連接部分を被梱包物の胴部側にして目的箇所に巻き付け、その後に断続する舌片部分を折罫箇所から被梱包物の上面あるいは下面に沿うように折り曲げて被せた状態にする。こうした角当てベルトの舌片部分に梱包用帯紐など結束材が当接するようにして結束する。こうすることで、折り曲げられた舌片部分と連接部とによって角部が覆われ、結束材が被梱包物の角部に接触するのを防止して結束することができる。したがって、取扱い中に被梱包物を傷めることはない。また、この角当てベルトは、長尺帯状に形成されるので、例えばリールなどに巻き込んで保管でき、対象の被梱包物の形状が不定型物であっても、角当てとなる部分が舌片状で分断されて連続形成されていて、各切除部分の底部が折罫位置より連接部側に切り込まれた構造となっているので、折れ曲がりが自由にできて被梱包物の周縁の形状に合わせ易く、各種形状に対応して使用することができる。また、必要長さに切断して使用できるので梱包資材としてコスト削減の効果が著しく大きい。
【００１０】
また、第２発明の構成を採用することにより、この角当てベルトを使用する長さに対応して切断する操作が容易になり、その構成ウエブ材が紙質材であれば、鋏などの切断具を用いなくとも簡単に所要の長さに対応させて破線部で切断することができ、便利である。また、その切断に際して、破線形成部から切除部分の底部へはその底部に切込みが付されているので他の位置にずれて破断せず不体裁なことにはならない。
【発明を実施するための最良の形態】
【００１１】
次に、本発明の梱包用角当てベルトについて、その具体的な実施の態様を図面を参照しつつ説明する。
【００１２】
図１には本実施形態の梱包用角当てベルトの一部を表わす正面図が示されている。図２には円柱状の被梱包物に使用されている態様を表わす全体斜視図（ａ）と平面図（ｂ）が、図３には使用態様の要部拡大斜視図が、それぞれ示されている。
【００１３】
この実施形態の梱包用角当てベルト１（以下、単に角当てベルト１という）は、長尺帯状の板紙（本発明のウエブ材に対応）を用いて所要幅で連続的に形成されており、その幅方向の中間位置で長手方向に折罫３が形成され、この折罫３を境にして幅方向に一方を連接部２とされ、他方には折罫３に直交して楔状の切除部分５と台形状の舌片４とが所定のピッチで交互に形成されている。なお、前記切除部分５は舌片４部分よりも狭い寸法にされている。
【００１４】
前記切除部分５の底部５ａは、前記折罫３を適宜寸法越えて連接部２側に延長形成されている。また、この底部５ａには折罫３に直交する向きで切込み６が設けられ、この切込み６に繋がるようにして連接部２を横断する破線７が刻設されている。
【００１５】
前記折罫３の形成位置は、ベルト形成材の幅方向で、連接部２が舌片４形成部の幅よりもやや広くなるような割合で配されている。また、その折罫３は、ベルト形成材の厚さ寸法により、図３中符号Ａで示すように、肉厚材の場合には、その板厚に応じた間隔ｔで二条平行して形成されるのが好ましい。こうしておくと、舌片４を折り曲げる操作が容易になる。
【００１６】
このように構成される本実施形態の角当てベルト１は、連続帯状に形成されているので、リール（図示せず）に巻き付けて嵩低くして保管することができる。使用に際しては、リール巻きされた状態から引き出して所要の寸法に切断して使用する。この際、前述のように連接部２に破線７を設けておけば、所要長さ位置の破線７の箇所で切り取れば、そのまま直ちに使用に供することができる。もし、破線７を設けていない場合には、所要位置で鋏など切断具によって切断し使用する。
【００１７】
所要長さに切断した角当てベルト１は、図２によって示されるように、被梱包物１０（この具体例では円柱状の容器）の上面周縁部１１に折罫３部分をあてがって連接部２をその被梱包物１０の胴部側に巻付ける。できれば角当てベルト１の両端部を粘着テープなどによって相互に連結して仮保持させる。その後に各舌片４を折罫３に沿って被梱包物１０の上面（下面）に向けて折り曲げる。すると、図３に例示するように、舌片４の基部４ａは折罫３部分で直線状に折り曲げられて被梱包物１０の周縁部１１の曲線と中央部分で当接し、切除部分５の底部５ａに繋がる切込み６が少し裂開して、前記舌片４の折り曲げ部と被梱包物１０の周縁部１１の曲線部分との接触状態が点状から線状に変位し、連接部２の胴部に対する巻き付け状態が円滑化して舌片４の基部４ａへの抵抗力が削減され、折れ曲がりを容易にする。
【００１８】
こうして各舌片４を内向きに折り曲げたならば、被梱包物１０の下面側でも角当てベルト１を同様にして周囲にあてがって周縁部１１を覆うようにする。しかる後、結束材１５を使用して、好ましくは図２（ｂ）で示されるように、所要の配分で対辺位置にある舌片４同士に結束材１５が当接するように巻きつけて結束する。折り曲げられた各舌片４は、連接部２の巻き具合で小さな曲率で巻き付けられている場合、隣り合う舌片４同士が、切除部分を覆うようにして近接し、あるいはその一部が重なり合って固定される。
【００１９】
このように被梱包物１０の上下面の角部（周縁部１１）を全周にわたり角当てベルト１によって覆われた外側を、複数の結束材１５でクロスさせて縛るので、その角当てベルト１の対応する舌片４部分が結束材１５によって押えられて、被梱包物１０の角部（周縁部１１）と結束材１５とが直接に接することなく結束され、被梱包物１０の角部は確実に保護される。
【００２０】
本発明による角当てベルトは、上述のように、被梱包物の上下面の周縁部にあてがって胴部に巻付ける連接部に対して所要のピッチで分断されてなる舌片４部分を折り曲げ容易にされているので、被梱包物の外形が、正円や方形以外の不定形であってもその周囲の形状に合わせて使用することができる。そして、結束材の巻掛けによる周縁角部分の損傷を予防するほかに、その他の箇所の周縁を保護する機能も併せ得られることになる。また、必要に応じて舌片の基部幅を狭くすることで角当てベルトの巻き付け時における屈曲状態をよりよくすることもできる。さらに、この角当てベルトの形成材料（ウエブ材）としては、前記実施形態の板紙以外に、使用条件に応じてダンボールや金属帯板を用いて形成することもできる。
【図面の簡単な説明】
【００２１】
【図１】本実施形態の梱包用角当てベルトの一部を表わす正面図
【図２】円柱状の被梱包物に使用されている態様を表わす全体斜視図（ａ）と平面図（ｂ）
【図３】使用態様の要部拡大斜視図
【図４】従来の梱包結束態様を示す一例斜視図
【図５】従来の梱包結束態様を示す他の例斜視図
【符号の説明】
【００２２】
１    角当てベルト
２    連接部
３    折罫
４    舌片
５    切除部分
５ａ  切除部分の底部
７    破線
１０  被梱包物
１５  結束材
【図１】
2005335716.tif 000003
【図２】
2005335716.tif 000004
【図３】
2005335716.tif 000005
【図４】
2005335716.tif 000006
【図５】
2005335716.tif 000007